(57)【要約】【課題】エレベータの待機時の消費電力を削減するエレベータ制御装置を提供する。【解決手段】エレベータの運転を制御するＣＰＵである運転用ＣＰＵと、スイッチと、スイッチへの電流の流入を制御するスイッチング素子と、ＤＩ遮断制御用ＣＰＵと、を備え、ＤＩ遮断制御用ＣＰＵは、運転用ＣＰＵからのスイッチのデータリードを行うためのデータ入力リクエストを受信したときスイッチング素子に電流の流入を指示するとともに運転用ＣＰＵにデータ入力リクエストに対する回答である入力リクエストアンサーを送信し、所定時間経過後にスイッチング素子に電流の流入の停止を指示する。【選択図】図２
2011148590.tif 000002
【特許請求の範囲】
【請求項１】
エレベータの運転を制御する運転用ＣＰＵと、
前記エレベータの状態を検知するスイッチと、
前記スイッチへの電流の流入を制御するスイッチング素子と、
前記スイッチのデータリードを要求する信号を前記運転用ＣＰＵから受信したとき前記スイッチング素子に電流の流入を指示するとともに、前記運転用ＣＰＵに前記スイッチのデータリードを許可する信号を送信し、前記データリードを許可する信号を送信後所定時間経過したときにスイッチング素子に電流の流入の停止を指示する省電力動作をおこなうＤＩ遮断制御用ＣＰＵと、
を備えるエレベータ制御装置。
【請求項２】
前記ＤＩ遮断制御用ＣＰＵが、前記エレベータが待機状態になったときだけに前記省電力動作を行うことを特徴とする請求項１記載のエレベータ制御装置。
【請求項３】
前記所定時間が、前記運転用ＣＰＵが前記スイッチをデータリードするのに十分な長さであることを特徴とする請求項１記載のエレベータ制御装置。
【発明の詳細な説明】
【技術分野】
【０００１】
本発明は、エレベータ制御装置に係り、特にエレベータの休止状態に消費される電力を削減するエレベータ制御装置に関する。
【背景技術】
【０００２】
二酸化炭素排出量削減のための取り組みとして、電気機器の省エネルギー化の技術開発が急務となっている。エレベータに関しては、エレベータにおいて消費される電力の大半はエレベータが走行中に巻き上げ機を駆動させる電力である。
【０００３】
しかし、待機状態でも電力は定常的に消費される。例えば一般住宅やマンションなどに設置されるエレベータは、待機状態となっている時間が比較的長い。従って、待機状態のエレベータで消費される電力を低減させる必要がある。
【０００４】
この点に関し、かごが待機状態の場合、蓄電部から乗場操作部に電流を供給するとともに、乗場部以外の制御装置の電流を遮断することにより省エネルギーを図る技術が提案されている（例えば、特許文献１）。
【０００５】
しかし、この技術によっては、乗場操作部が待機時に消費する電力を蓄電部に再充電する必要があるため、さらなる省エネルギー化には限度があるという問題点がある。
【先行技術文献】
【特許文献】
【０００６】
【特許文献１】特開２００９−６７５２０号公報
【発明の概要】
【発明が解決しようとする課題】
【０００７】
本発明は、エレベータの待機時の消費電力を削減するエレベータ制御装置を提供することを目的とする。
【課題を解決するための手段】
【０００８】
本発明は、エレベータの運転を制御する運転用ＣＰＵと、エレベータの状態を検知するスイッチと、スイッチへの電流の流入を制御するスイッチング素子と、スイッチのデータリードを要求する信号を運転用ＣＰＵから受信したときスイッチング素子に電流の流入を指示するとともに、運転用ＣＰＵにスイッチのデータリードを許可する信号を送信し、このデータリードを許可する信号を送信後所定時間経過したときにスイッチング素子に電流の流入の停止を指示する省電力動作をおこなうＤＩ遮断制御用ＣＰＵと、を備えるエレベータ制御装置を提供する。
【発明の効果】
【０００９】
本発明によれば、エレベータ待機時に多数のスイッチに流入する不要な電力を削減できるという効果がある。
【図面の簡単な説明】
【００１０】
【図１】エレベータ全体を模式的に示した図である。
【図２】エレベータ制御装置の構成を示す概要図である。
【図３】エレベータ制御装置の動作を示す図である。
【発明を実施するための形態】
【００１１】
以下に、本発明の一実施形態に係るエレベータ制御装置を、図面を参照して詳細に説明する。図１は、エレベータ全体を模式的に示した図である。図１に示すように、エレベータは、エレベータ全体の動作を制御する制御盤１と、乗客を昇降させるかご室２２と、かご室２２を巻き上げる巻き上げ機２１と、かご室２２と巻き上げ機２１を経由するワイヤによって連結された重り２３と、各階に設置され、信号を制御盤１に送信する乗場制御装置２４と、エレベータの各種の状態を検知するスイッチ３０とを備える。
【００１２】
スイッチ３０は、例えば運転の待機を指示するパーキングスイッチ３０Ａ、かご室２２の最下位置を検知するリミットスイッチ３０Ｂ、かご室２２の中に設置されるかご室内スイッチ３０Ｃ、その他のスイッチ３０Ｄ等を含む。
【００１３】
制御盤１は、スイッチ３０からの信号を入力し、エレベータの運転を制御するエレベータ制御装置１０を備える。
【００１４】
図２は、本実施形態のエレベータ制御装置１０の構成を示す概要図である。図２に示すように、エレベータ制御装置１０は、エレベータの運転を制御する運転用ＣＰＵ１１と、スイッチ３０と、スイッチ３０への電流の流入を制御するスイッチング素子１７と、ＤＩ遮断制御用ＣＰＵ１２と、を備える。
【００１５】
ＤＩ遮断制御用ＣＰＵ１２は、スイッチ３０のデータリードを要求する信号であるデータ入力リクエストを運転用ＣＰＵ１１から受信したときスイッチング素子１７に電流の流入を指示するとともに運転用ＣＰＵ１１にデータ入力リクエストに対する許可の信号である入力リクエストアンサーを送信し、所定時間経過後にスイッチング素子１７に電流の流入の停止を指示する。
【００１６】
運転用ＣＰＵ１１は、電源１３Ａにより給電される。スイッチ３０からの信号は、フォトカプラ１４Ａを経由して入力ポート１５Ａから運転用ＣＰＵ１１に入力する。運転用ＣＰＵ１１とＤＩ遮断制御用ＣＰＵ１２とは、フォトカプラ１４Ｂを経由して入出力ポート１５Ｂにより通信する。
【００１７】
すなわち、運転用ＣＰＵ１１は、点線１０Ａに示すように、ノイズ等を避けるためにスイッチ３０を含む回路から電気的に絶縁されている。すなわち、運転用ＣＰＵ１１の電源構成とＤＩ遮断制御用ＣＰＵ１２とは電源構成が異なる。相互のデータ通信は電気的な分離が必要なため、フォトカプラ１４Ａ、フォトカプラ１４Ｂを使用して信号ラインの分離を行い、信号をシリアル化して送受信する。
【００１８】
また、運転用ＣＰＵ１１はスイッチ３０の状態を読み込み、この状態を一時的に記憶する。運転用ＣＰＵ１１は読み込んだデータに基づいて、例えばかご室の昇降を行うモータのスイッチを制御し、ドアの開閉を行うモータのスイッチを制御する。すなわち、運転用ＣＰＵ１１は、スイッチ３０の入出力管理を行っている時以外は、通常処理としてエレベータ各部の動作電源のスイッチ制御をおこなうことにより、エレベータの運行を制御する。
【００１９】
あるいは、運転用ＣＰＵ１１は、スイッチ３０の状態をメモリに記憶し、エレベータの運行を制御する他の制御装置にスイッチ３０の状態を引き渡すように構成することもできる。すなわち、運転用ＣＰＵ１１はスイッチ３０の入出力管理を行うように構成してもよい。
【００２０】
運転用ＣＰＵ１１とＤＩ遮断制御用ＣＰＵ１２との通信速度は、データ反射が起こらない範囲で速いほどよい。数百ｋｂｐｓ程度の転送速度が望ましい。
【００２１】
電源１３Ｂは、フォトカプラ１４Ａに給電する。フォトカプラ１４Ａは、制限抵抗１６を介してスイッチング素子１７に接続する。スイッチング素子１７はスイッチ３０に接続する。スイッチング素子１７の制御端子にはＤＩ遮断制御用ＣＰＵ１２が接続される。ＤＩ遮断制御用ＣＰＵ１２は電源１３Ｃにより給電される。
【００２２】
ここで、スイッチング素子１７はＭＯＳＦＥＴを用いることができる。スイッチング素子１７にＭＯＳＦＥＴを用いる場合には、スイッチング素子１７のドレイン端子にスイッチ３０を接続し、ソース端子に制限抵抗１６を介してフォトカプラ１４Ａを接続し、ゲート端子にＤＩ遮断制御用ＣＰＵ１２を接続する。
【００２３】
すなわち、スイッチング素子１７はＤＩ遮断制御用ＣＰＵ１２からの信号により、スイッチ３０への給電の有無を制御する。
【００２４】
図３は、エレベータ制御装置１０の動作を示す図である。図３において、チャート（Ａ）はＤＩ遮断制御用ＣＰＵ１２からスイッチング素子１７への、スイッチ３０への電流を遮断させる指示である電流遮断信号の状態を示し、チャート（Ｂ）はＤＩ遮断制御用ＣＰＵ１２の動作を示し、チャート（Ｃ）は運転用ＣＰＵ１１の動作を示す。
【００２５】
運転用ＣＰＵ１１はＳ１においてスイッチ３０のデータリード以外の通常処理を行う。運転用ＣＰＵ１１は、スイッチ３０のデータリードを行う場合、Ｓ４においてＤＩ遮断制御用ＣＰＵ１２に対してデータ入力リクエストを送信する。データ入力リクエストは、例えば１バイトからなり、先頭１ビットにより実行許可信号を、残部の７ビットにより電流供給時間を指示する。
【００２６】
ＤＩ遮断制御用ＣＰＵ１２は、データ入力リクエストを受信すると、Ｓ２においてスイッチング素子１７への電流遮断信号をＯＦＦするとともに、運転用ＣＰＵ１１に対して入力リクエストアンサーを送信する。入力リクエストアンサーは１ビットでもよい。
【００２７】
電流遮断信号がＯＦＦされると、スイッチ３０に電流が流入する。ここで、Ｓ６において運転用ＣＰＵ１１はスイッチ３０の状態をリードする。
【００２８】
ＤＩ遮断制御用ＣＰＵ１２は、所定時間経過後、すなわち運転用ＣＰＵ１１がスイッチ３０のデータリードを行うのに十分な時間経過後にＳ３においてスイッチング素子１７への電流遮断信号をＯＮする。以降この周期が繰り返される。
【００２９】
電流遮断信号のＯＦＦの時間ｔ１とＯＮ／ＯＦＦ一周期の時間ｔ２の比は任意に設定できるが、１：１０であることが望ましい。また、時間ｔ１は数μ秒であることが望ましい。エレベータ待機時にこの動作を実行することにより、スイッチ３０により消費される消費電力をｔ１／ｔ２に削減することができる。
【００３０】
上述した運転用ＣＰＵ１１のデータ入力リクエスト送信からＤＩ遮断制御用ＣＰＵ１２による電流遮断信号をＯＮまでの一連の動作を周期的に行う省電力動作は、エレベータの待機運転を指示するスイッチであるパーキングスイッチ３０Ａが操作されてエレベータが待機状態になったときだけに行うように構成することもできる。従って、待機状態の時の消費電力を削減することが可能となる。
【００３１】
以上述べたように、エレベータ制御装置１０は、エレベータの運転を制御するＣＰＵである運転用ＣＰＵ１１と、スイッチ３０と、スイッチ３０への電流の流入を制御するスイッチング素子１７と、ＤＩ遮断制御用ＣＰＵ１２と、を備え、ＤＩ遮断制御用ＣＰＵ１２は、運転用ＣＰＵ１１からのスイッチ３０のデータリードを行うためのデータ入力リクエストを受信したときスイッチング素子１７に電流の流入を指示するとともに運転用ＣＰＵ１１にデータ入力リクエストに対する回答である入力リクエストアンサーを送信し、所定時間経過後にスイッチング素子１７に電流の流入の停止を指示する。
【００３２】
従って、エレベータ待機時に多数のスイッチ３０に流入する不要な電力を削減できるという効果がある。
【符号の説明】
【００３３】
１０：エレベータ制御装置、
１１：運転用ＣＰＵ、
１２：ＤＩ遮断制御用ＣＰＵ、
１７：スイッチング素子、
３０：スイッチ。
【図１】
2011148590.tif 000003
【図２】
2011148590.tif 000004
【図３】
2011148590.tif 000005